(57)【要約】【課題】視聴者に確認を促したうえでコンテンツの出力先を切り替えられるようにする。【解決手段】制御装置１のＣＰＵ１１によれば、コンテンツの内容（例えば、番組のジャンル）に基づいて特定される出力先と有効な出力先とを比較してコンテンツの出力先の切り替えが必要であるか否かを判断し、必要であると判断した場合に、出力先の切替確認画面３４１を有効な出力先に表示させる。【選択図】図１０
2018129739.tif 000002
【特許請求の範囲】
【請求項１】
出力するコンテンツの内容を取得する取得手段と、
前記コンテンツの内容に基づいて出力先の切り替えが必要であるか否かを判断し、出力先の切り替えが必要であると判断した場合に、出力先の切替確認画面を表示手段に表示させる制御手段と、
を備える制御装置。
【請求項２】
前記切替確認画面は、前記出力先の切り替えを視聴者が承諾するか否かを入力するための画面であり、
前記制御手段は、前記出力先の切り替えを視聴者が承諾する旨が入力された場合に、前記出力先の切り替えを実行する請求項１に記載の制御装置。
【請求項３】
前記コンテンツは、放送局から配信される番組であり、
前記取得手段は、前記放送局から配信される番組情報に基づいて前記コンテンツの内容を取得する請求項１又は２に記載の制御装置。
【請求項４】
キーワードと当該キーワードに該当するコンテンツの出力先を設定する設定手段を備え、
前記制御手段は、前記番組情報から取得した前記コンテンツの内容と前記設定手段により設定されたキーワード及び出力先とに基づいて出力先の切り替えが必要であるか否かを判断し、出力先の切り替えが必要であると判断した場合に、前記切替確認画面を前記表示手段に表示させる請求項３に記載の制御装置。
【請求項５】
前記設定手段は、更に、前記キーワードに該当するコンテンツの出力先を前記設定された出力先に切り替えるための視聴者の人数条件を設定可能であり、
前記制御手段は、前記コンテンツの視聴者の人数を取得する人数取得手段により取得された人数が前記人数条件に該当し、かつ、出力先の切り替えが必要であると判断した場合に、前記切替確認画面を前記表示手段に表示させる請求項４に記載の制御装置。
【請求項６】
前記制御手段は、前記コンテンツが出力される所定時間前に前記切替確認画面を表示させる請求項１〜５のいずれか一項に記載の制御装置。
【請求項７】
前記出力先は、モニタ又はプロジェクタである請求項１〜６のいずれか一項に記載の制御装置。
【請求項８】
前記表示手段は、切り替え前のコンテンツの出力先である請求項１〜７のいずれか一項に記載の制御装置。
【請求項９】
出力するコンテンツの内容を取得する工程と、
前記コンテンツの内容に基づいて出力先の切り替えが必要であるか否かを判断し、出力先の切り替えが必要であると判断した場合に、出力先の切替確認画面を表示手段に表示させる工程と、
を含む制御方法。
【請求項１０】
コンピュータを、
出力するコンテンツの内容を取得する取得手段、
前記コンテンツの内容に基づいて出力先の切り替えが必要であるか否かを判断し、出力先の切り替えが必要であると判断した場合に、出力先の切替確認画面を表示手段に表示させる制御手段、
として機能させるためのプログラム。
【発明の詳細な説明】
【技術分野】
【０００１】
本発明は、制御装置、制御方法及びプログラムに関する。
【背景技術】
【０００２】
従来、スクリーンにコンテンツを投影する映像出力装置が知られている（例えば、特許文献１参照）。
【先行技術文献】
【特許文献】
【０００３】
【特許文献１】特開２０１１−１５０２２１号公報
【発明の概要】
【発明が解決しようとする課題】
【０００４】
ところで、コンテンツの出力先が２つ以上存在する場合、必要に応じて自動的にコンテンツの出力先を切り替えることがある。しかしながら、何の前触れもなく出力先が切り替わってしまうと不自然であり、また視聴者の意図に沿わない場合もある。
【０００５】
本発明の課題は、視聴者に確認を促したうえでコンテンツの出力先を切り替えられるようにすることである。
【課題を解決するための手段】
【０００６】
上記課題を解決するため、請求項１に記載の制御装置は、
出力するコンテンツの内容を取得する取得手段と、
前記コンテンツの内容に基づいて出力先の切り替えが必要であるか否かを判断し、出力先の切り替えが必要であると判断した場合に、出力先の切替確認画面を表示手段に表示させる制御手段と、
を備える。
【発明の効果】
【０００７】
本発明によれば、視聴者に確認を促したうえでコンテンツの出力先を切り替えることが可能となる。
【図面の簡単な説明】
【０００８】
【図１】本実施形態のコンテンツ出力システムの全体構成例を示す図である。
【図２】図１の制御装置の機能的構成を示すブロック図である。
【図３】キーワードリストのデータ格納例を示す図である。
【図４】該当番組リストのデータ格納例を示す図である。
【図５】図１のモニタの機能的構成を示すブロック図である。
【図６】図１のプロジェクタの機能的構成を示すブロック図である。
【図７】図１のカメラデバイスの機能的構成を示すブロック図である。
【図８】（ａ）は、モニタによりコンテンツを出力しているときの室内を上から見た図、（ｂ）は、プロジェクタによりコンテンツを出力しているときの室内を上から見た図である。
【図９】図２のＣＰＵにより実行される出力制御処理を示すフローチャートである。
【図１０】図９のステップＳ１１により実行される切替処理を示すフローチャートである。
【図１１】出力先の切替確認画面の一例を示す図である。
【発明を実施するための形態】
【０００９】
以下、添付図面を参照して本発明に係る実施形態を詳細に説明する。なお、本発明は、図示例に限定されるものではない。
【００１０】
［コンテンツ出力システム１００の構成］
図１は、本発明の実施形態におけるコンテンツ出力システム１００の全体構成を示す図である。コンテンツ出力システム１００は、家庭内の一室等に設置されたシステムであり、図１に示すように、制御装置１と、リモコン２と、モニタ３と、プロジェクタ４と、カメラデバイス５とを備えて構成されている。本実施形態では、コンテンツ出力システム１００が放送局から配信される番組をコンテンツとして出力する場合を例にとり説明する。
【００１１】
［制御装置１の構成］
図２は、制御装置１の機能的構成を示すブロック図である。制御装置１は、映像コンテンツの出力先の切り替えを制御する装置であり、図２に示すように、ＣＰＵ（Central Processing Unit）１１、映像・音声入力部１２、リモコン通信部１３、カメラ通信部１４、第１のシリアル通信部１５、第１の映像・音声出力部１６、第２のシリアル通信部１７、第２の映像・音声出力部１８、記憶部１９等を備えて構成されている。ＣＰＵ１１と各部はバスにより接続されている。
【００１２】
ＣＰＵ１１は、記憶部１９に記憶されている各種のプログラムを実行して所定の演算や各部の制御を行う。例えば、ＣＰＵ１１は、記憶部１９に記憶されているプログラムとの協働により、後述する出力先制御処理（図９参照）を実行し、取得手段、制御手段、設定手段として機能する。
【００１３】
映像・音声入力部１２は、ケーブル等を介してＴＶ端子６に接続されており、図示しないテレビ受信機等から送信されたコンテンツの映像信号、音声信号及び番組情報を入力するためのインターフェースである。
【００１４】
リモコン通信部１３は、無線によりリモコン２からの操作信号を受信する。
カメラ通信部１４は、無線又は有線によりカメラデバイス５に接続し、カメラデバイス５とのデータ送受信を行う。
【００１５】
第１のシリアル通信部１５は、ケーブル等を介してモニタ３に接続されており、モニタ３とのデータ送受信を行う。
第１の映像・音声出力部１６は、ケーブル等を介してモニタ３に接続されており、モニタ３にコンテンツの映像信号、音声信号及び番組情報を出力するためのインターフェースである。
【００１６】
第２のシリアル通信部１７は、ケーブル等を介してプロジェクタ４に接続されており、プロジェクタ４とのデータ送受信を行う。
第２の映像・音声出力部１８は、ケーブル等を介してプロジェクタ４に接続されており、プロジェクタ４に映像信号、音声信号及び番組情報を出力するためのインターフェースである。
【００１７】
記憶部１９は、例えばＨＤＤ（Hard Disk Drive）や半導体の不揮発性メモリ等で構成されている。記憶部１９には、各種プログラムやプログラムの実行に必要なデータが記憶されている。
また、記憶部１９には、キーワードリスト１９１、該当番組リスト１９２、番組情報１９３が記憶されている。
【００１８】
図３は、キーワードリスト１９１のデータ格納例を示す図である。キーワードリスト１９１は、図３に示すように、「Index」、「キーワード」、「除外キーワード」、「人数」、「人数条件」、「出力先」、「音響」等の項目を有し、ユーザが入力したキーワード、そのキーワードに該当するコンテンツの出力先、出力先を切り替えるための視聴者の人数の条件、そのキーワードに該当するコンテンツを出力する際の音響条件等の設定情報を記憶する。「人数」と「人数条件」の項目は、合わせて出力先を切り替えるための視聴者の人数条件を表し、「人数条件」の項目は、「人数」に対する等号や不等号を表す。キーワードリスト１９１は、上位の優先度が高い。
【００１９】
図４は、該当番組リスト１９２のデータ格納例を示す図である。該当番組リスト１９２は、図４に示すように、「開始時刻」、「終了時刻」、「番組名」、「ｃｈ（チャンネル）」、「キーワードIndex」、「人数」、「人数条件」、「出力先」、「音響」、「最終更新日時」、「更新方法」等の項目を有し、キーワードリスト１９１に設定されたキーワードに該当する内容のコンテンツ（出力するコンテンツ）の番組情報や出力先、人数条件、音響条件等を記憶する。該当番組リスト１９２は、上位の優先度が高い。
【００２０】
番組情報１９３は、放送局から配信される番組についての情報であり、例えば、番組の開始時刻、終了時刻、番組名、ジャンル、ｃｈ（チャンネル）等の情報を含む。記憶部１９は、例えば、１週間分の番組情報１９３を記憶する。
【００２１】
計時部２０は、ＲＴＣ（Real Time Clock）等により構成され、現在時刻を取得してＣＰＵ１１に出力する。
【００２２】
［リモコン２の構成］
リモコン２は、十字キー、決定キー、キャンセルキー等を有し、各キーの操作信号を無線により制御装置１のリモコン通信部１３に送信する。
【００２３】
［モニタ３の構成］
モニタ３は、制御装置１から送信された映像信号及び音声信号に基づいて、コンテンツを出力する出力装置である。
図５は、モニタ３の機能的構成を示すブロック図である。図５に示すように、モニタ３は、ＣＰＵ３１、映像・音声入力部３２、シリアル通信部３３、表示部３４、スピーカ３５、記憶部３６等を備えて構成されている。ＣＰＵ３１と各部はバスにより接続されている。
【００２４】
ＣＰＵ３１は、記憶部３６に記憶されている各種のプログラムを実行して所定の演算や各部の制御を行う。例えば、ＣＰＵ３１は、映像・音声入力部３２から入力された映像信号に基づいて表示部３４にコンテンツの映像を表示させ、映像・音声入力部３２から入力された音声信号に基づいてスピーカ３５にコンテンツの音声を出力させる。また、ＣＰＵ３１は、電源ＯＦＦ状態の時にシリアル通信部３３を介して制御装置１から電源ＯＮをリクエストするコマンドが受信されると、図示しない電源をＯＮに切り替える。更に、ＣＰＵ３１は、シリアル通信部３３を介して制御装置１から音響に関するコマンドが受信されると、受信されたコマンドに基づいて、スピーカ３５による音声出力を制御する。
【００２５】
映像・音声入力部３２は、ケーブル等を介して制御装置１に接続されており、制御装置１から出力されたコンテンツの映像信号、音声信号及び番組情報を入力するためのインターフェースである。
シリアル通信部３３は、ケーブル等を介して制御装置１に接続されており、制御装置１とのデータ送受信を行う。
【００２６】
表示部３４は、ＬＣＤ（Liquid Crystal Display）やＣＲＴ（Cathode Ray Tube）等により構成され、ＣＰＵ３１から入力される表示信号の指示に従って、コンテンツの映像や番組情報等の表示を行う。
スピーカ３５は、ＣＰＵ３１からの指示に従って音声を出力する。
【００２７】
記憶部３６は、例えばＨＤＤ（Hard Disk Drive）や半導体の不揮発性メモリ等で構成されている。記憶部３６には、各種プログラムやプログラムの実行に必要なデータが記憶されている。
【００２８】
［プロジェクタ４の構成］
プロジェクタ４は、制御装置１から送信された映像信号及び音声信号に基づいて、テレビ番組のコンテンツを出力する出力装置である。
図６は、プロジェクタ４の機能的構成を示すブロック図である。図６に示すように、プロジェクタ４は、ＣＰＵ４１、映像・音声入力部４２、シリアル通信部４３、投影部４４、スピーカ４５、記憶部４６等を備えて構成されている。ＣＰＵ４１と各部はバスにより接続されている。
【００２９】
ＣＰＵ４１は、記憶部４６に記憶されている各種のプログラムを実行して所定の演算や各部の制御を行う。例えば、ＣＰＵ４１は、映像・音声入力部４２から入力された映像信号に基づいて投影部４４によりコンテンツの映像を投影させ、映像・音声入力部４２から入力された音声信号に基づいてスピーカ４５にコンテンツの音声を出力させる。また、ＣＰＵ４１は、電源ＯＦＦ状態の時にシリアル通信部４３を介して制御装置１から電源ＯＮをリクエストするコマンドが受信されると、図示しない電源をＯＮに切り替える。更に、ＣＰＵ４１は、シリアル通信部４３を介して制御装置１から音響に関するコマンドが受信されると、受信されたコマンドに基づいて、スピーカ４５による音声出力を制御する。
【００３０】
映像・音声入力部４２は、ケーブル等を介して制御装置１に接続されており、制御装置１から出力されたコンテンツの映像信号、音声信号及び番組情報を入力するためのインターフェースである。
シリアル通信部４３は、ケーブル等を介して制御装置１に接続されており、制御装置１とのデータ送受信を行う。
【００３１】
投影部４４は、ＣＰＵ４１から出力された入力された映像信号を映像光に変換して壁面やスクリーンに向けて照射することにより、コンテンツの映像を投影する。
スピーカ４５は、ＣＰＵ４１からの指示に従って音声を出力する。
【００３２】
記憶部４６は、例えばＨＤＤ（Hard Disk Drive）や半導体の不揮発性メモリ等で構成されている。記憶部４６には、各種プログラムやプログラムの実行に必要なデータが記憶されている。
【００３３】
［カメラデバイス５の構成］
カメラデバイス５は、コンテンツ出力システム１００が設置された室内を撮影し、得られた撮影画像に基づいて視聴者の人数を取得する人数取得手段である。
図７は、カメラデバイス５の機能的構成を示すブロック図である。図７に示すように、カメラデバイス５は、ＣＰＵ５１、撮影部５２、通信部５３、記憶部５４等を備えて構成されている。ＣＰＵ５１と各部はバスにより接続されている。
【００３４】
ＣＰＵ５１は、記憶部５４に記憶されている各種のプログラムを実行して所定の演算や各部の制御を行う。例えば、ＣＰＵ５１は、制御装置１からの指示に従って撮影部５２に撮影を行わせ、得られた撮影画像に顔認識処理を施して視聴者の人数をカウントする。顔認識処理としては、例えば、特開２００６−２０２０４９号公報に記載のように、公知の画像処理技術を用いることができる。そして、得られた人数を通信部５３により制御装置１に送信する。  
【００３５】
撮影部５２は、図示は省略するが、光学系及び撮像素子を備えるカメラと、カメラを制御する撮像制御部とを備えている。カメラの光学系は、コンテンツ出力システム１００が設置された室内を撮影可能な方向に向けられている。また、その撮像素子は、例えば、ＣＣＤ（Charge Coupled Device）やＣＭＯＳ（Complementary Metal-oxide Semiconductor）等のイメージセンサである。そして、撮像素子は、光学系を通過した光学像を２次元の画像信号に変換する。
【００３６】
通信部５３は、有線又は無線により制御装置１に接続し、制御装置１とのデータ送受信を行う。
【００３７】
記憶部５４は、例えばＨＤＤ（Hard Disk Drive）や半導体の不揮発性メモリ等で構成されている。記憶部５４には、各種プログラムやプログラムの実行に必要なデータが記憶されている。
【００３８】
［コンテンツ出力システム１００の動作］
図８（ａ）は、モニタ３によりコンテンツを出力しているときの室内を上から見た図である。図８（ｂ）は、プロジェクタ４によりコンテンツを出力しているときの室内を上から見た図である。本実施形態のコンテンツ出力システム１００では、コンテンツのキーワードや視聴者の人数によって、コンテンツの出力先を切り替えることができる。以下、コンテンツ出力システム１００の動作について説明する。
【００３９】
図９は、制御装置１により実行される出力先制御処理を示すフローチャートである。出力先制御処理は、ＣＰＵ１１と記憶部１９に記憶されているプログラムとの協働により実行される。
【００４０】
まず、ＣＰＵ１１は、リモコン通信部１３によりリモコン２からキーワードの設定指示が受信されたか否かを判断する（ステップＳ１）。
リモコン２からのキーワード設定指示が受信されていないと判断した場合（ステップＳ１；ＮＯ）、ＣＰＵ１１は、ステップＳ４に移行する。
【００４１】
リモコン２からのキーワード設定指示が受信されたと判断した場合（ステップＳ１；ＹＥＳ）、ＣＰＵ１１は、キーワード設定画面（図示せず）を有効な出力先に表示させる（ステップＳ２）。
【００４２】
有効な出力先とは、モニタ３又はプロジェクタ４のうち、コンテンツや操作画面の出力先として予め規定されている（切り替え前の）出力装置であり、例えば、前回コンテンツの出力が行われた出力装置である。あるいは、モニタ３を有効な出力先としてもよい。あるいは、プロジェクタ４を有効な出力先としてもよい。有効な出力先の情報は、例えば、記憶部１９に設定されているが、リモコン２の操作により変更可能としてもよい。
なお、有効な出力先の電源がＯＦＦ状態の場合、ＣＰＵ１１は、例えば、第１のシリアル通信部１５又は第２のシリアル通信部１７のうち、有効な出力先に接続されている方の通信部により電源ＯＮのリクエストを送信して有効な出力先の電源をＯＮさせる。後述するステップＳ８、図１０のステップＳ１１５についても同様である。
【００４３】
キーワード設定画面からリモコン２により入力が行われると、ＣＰＵ１１は、入力された内容に基づいて記憶部１９に記憶されているキーワードリスト１９１を更新し（ステップＳ３）、ステップＳ４に移行する。
【００４４】
キーワード設定画面は、例えば、記憶部１９に記憶されているキーワードリスト１９１が表示された画面であり、リモコン２からの操作によりキーワードリスト１９１の設定情報（キーワード、キーワードに該当するコンテンツの出力先、人数条件、音響条件等）を追加、変更、削除等することができる。キーワード設定画面に対するリモコン２の操作により新たにキーワード等の設定情報が入力された場合には、ＣＰＵ１１は、Indexを採番し、入力された内容をIndexに対応付けてキーワードリスト１９１に追加する。キーワード設定画面に対するリモコン２の操作によりキーワードリスト１９１の設定情報を変更または削除する操作が行われた場合には、ＣＰＵ１１は、操作に従って記憶部１９に記憶されているキーワードリスト１９１の設定情報を変更又は削除する。なお、キーワードリスト１９１の「人数」及び「人数条件」の項目は設定しなくてもよい。すなわち、コンテンツの出力先の切り替えの条件に視聴者の人数を用いなくてもよい。
【００４５】
ステップＳ４において、ＣＰＵ１１は、所定時刻が到来したか否かを判断する（ステップＳ４）。
所定時刻が到来していないと判断した場合（ステップＳ４；ＮＯ）、ＣＰＵ１１は、ステップＳ７に移行する。
【００４６】
所定時刻が到来したと判断した場合（ステップＳ４；ＹＥＳ）、ＣＰＵ１１は、放送局から配信される番組情報１９３を取得して記憶部１９に保存し（ステップＳ５）、取得した番組情報１９３及びキーワードリスト１９１に基づいて記憶部１９に記憶されている該当番組リスト１９２を自動更新し（ステップＳ６）、ステップＳ７に移行する。
ステップＳ６において、ＣＰＵ１１は、記憶部１９に記憶されている番組情報１９３の、前回取得された情報から追加された情報の中から、例えば、番組の内容を表す「ジャンル」の項目がキーワードリスト１９１のキーワードに該当する（キーワードに該当しかつ除外キーワードに該当しない）番組を検索する。キーワードに該当する番組が検索された場合、ＣＰＵ１１は、検索された番組の開始時刻、終了時刻、番組名、チャンネルの情報と、キーワードリスト１９１においてその番組が該当したキーワードのIndex、人数、人数条件、出力先、音響の情報とを対応付けて該当番組リスト１９２に書き込む。また、「最終更新日時」に現在時刻を、「更新方法」にＡＵＴＯを書き込む。すなわち、ステップＳ６等で作成される該当番組リスト１９２により、各番組（コンテンツ）の内容に応じた出力先が特定される。
【００４７】
ステップＳ７において、ＣＰＵ１１は、リモコン通信部１３によりリモコン２から該当番組リスト１９２の手動更新が指示されたか否かを判断する（ステップＳ７）。
リモコン２から該当番組リスト１９２の手動更新が指示されていないと判断した場合（ステップＳ７；ＮＯ）、ＣＰＵ１１は、ステップＳ１０に移行する。
【００４８】
リモコン２から該当番組リスト１９２の手動更新が指示されたと判断した場合（ステップＳ７；ＹＥＳ）、ＣＰＵ１１は、該当番組リスト更新画面（図示せず）を有効な出力先に表示させ（ステップＳ８）、該当番組リスト更新画面からリモコン２により入力された内容に基づいて記憶部１９に記憶されている該当番組リスト１９２を更新し（ステップＳ９）、ステップＳ１０に移行する。ここで、該当番組リスト更新画面は、例えば、記憶部１９に記憶されている該当番組リスト１９２が表示された画面であり、リモコン２からの操作に応じて、出力するコンテンツの情報を該当番組リスト１９２に追加したり、該当番組リスト１９２を変更したり、削除したりすることができる。
【００４９】
ステップＳ１０において、ＣＰＵ１１は、該当番組リスト１９２を参照し、次に出力するコンテンツ（次に開始時刻が到来するコンテンツ）の開始時刻３０秒前になったか否かを判断する（ステップＳ１０）。
次に出力するコンテンツの開始時刻３０秒前になっていないと判断した場合（ステップＳ１０；ＮＯ）、ＣＰＵ１１は、ステップＳ１に戻る。
次に出力するコンテンツの開始時刻３０秒前になったと判断した場合（ステップＳ１０；ＹＥＳ）、ＣＰＵ１１は、切替処理を実行する（ステップＳ１１）。
【００５０】
図１０は、ステップＳ１１において実行される切替処理を示すフローチャートである。切替処理は、ＣＰＵ１１と記憶部１９に記憶されているプログラムとの協働により実行される。
【００５１】
切替処理において、ＣＰＵ１１は、該当番組リスト１９２において、次に出力するコンテンツに人数条件が設定されているか否かを判断する（ステップＳ１１１）。
該当番組リスト１９２において、次に出力するコンテンツに人数条件が設定されていないと判断した場合（ステップＳ１１１；ＮＯ）、ＣＰＵ１１は、ステップＳ１１４に移行する。
【００５２】
該当番組リスト１９２において、次に出力するコンテンツに人数条件が設定されていると判断した場合（ステップＳ１１１；ＹＥＳ）、ＣＰＵ１１は、カメラデバイス５に撮影を行わせて視聴者の人数を取得し（ステップＳ１１２）、視聴者の人数が次に出力するコンテンツに設定されている人数条件に該当するか否かを判断する（ステップＳ１１３）。
視聴者の人数が次に出力するコンテンツに設定されている人数条件に該当していないと判断した場合（ステップＳ１１３；ＮＯ）、ＣＰＵ１１は、図９のステップＳ１２に移行する。
【００５３】
視聴者の人数が次に出力するコンテンツに設定されている人数条件に該当すると判断した場合（ステップＳ１１３；ＹＥＳ）、ＣＰＵ１１は、該当番組リスト１９２に基づいて、出力先の切り替えが必要であるか否かを判断する（ステップＳ１１４）。ステップＳ１１４において、ＣＰＵ１１は、該当番組リスト１９２の次に出力するコンテンツに対応する情報に応じて特定される、次に出力するコンテンツの内容に応じた出力先が有効な出力先と一致していない場合に、出力先の切り替えが必要であると判断する。
【００５４】
出力先の切り替えが不要であると判断した場合（ステップＳ１１４；ＮＯ）、ＣＰＵ１１は、図９のステップＳ１２に移行する。
【００５５】
出力先の切り替えが必要であると判断した場合（ステップＳ１１４；ＹＥＳ）、ＣＰＵ１１は、有効な出力先に切替確認画面３４１を表示させ（ステップＳ１１５）、ステップＳ１１６に移行する。
【００５６】
図１１は、ステップＳ１１５において有効な出力先がモニタ３である場合に表示される切替確認画面３４１を示す図である。図１１に示すように、切替確認画面３４１には、コンテンツの出力先をプロジェクタ４に切り替えることを通知するメッセージ、番組名、視聴者の人数、出力先の切り替えを視聴者が承諾したことを入力するためのＯＫボタン３４１ａ、出力先の切り替えをキャンセルすることを入力するためのＣａｎｃｅｌボタン３４１ｂ等が表示される。次に出力するコンテンツの開始までにＯＫボタン３４１ａが押下されない場合は、視聴者の承諾がなかったものとして出力先の切り替えは行われない。有効な出力先がプロジェクタ４である場合は、出力先をモニタ３に切り替えるメッセージが表示されるが、その他は図１１に示すものと同様である。
【００５７】
ステップＳ１１６において、ＣＰＵ１１は、次に出力するコンテンツの出力開始時刻までにリモコン通信部１３によりリモコン２からの入力が受信されたか否かを判断する（ステップＳ１１６）。
次に出力するコンテンツの開始時刻までにリモコン通信部１３によりリモコン２からの入力が受信されたと判断した場合（ステップＳ１１６；ＹＥＳ）、ＣＰＵ１１は、ＯＫボタン３４１ａが選択されたか否かを判断する（ステップＳ１１７）。
【００５８】
ＯＫボタン３４１ａが選択されたと判断した場合（ステップＳ１１７；ＹＥＳ）、ＣＰＵ１１は、コンテンツの出力先を該当番組リスト１９２の次に出力するコンテンツに係る情報により指定されている出力先に切り替え（ステップＳ１１８）、図９のステップＳ１２に移行する。
ステップＳ１１８において、ＣＰＵ１１は、切り替え先の電源がＯＦＦ状態の場合、例えば、第１のシリアル通信部１５又は第２のシリアル通信部１７のうち、切り替え先に接続されている方の通信部により電源ＯＮのリクエストを送信して電源をＯＮさせる。また、該当番組リスト１９２において、次に出力するコンテンツに音響条件が設定されている場合、ＣＰＵ１１は、第１のシリアル通信部１５又は第２のシリアル通信部１７のうち、切り替え先に接続されている方の通信部により音響の変更のリクエストを送信して音響の設定を変更させる。また、有効な出力先が前回コンテンツの出力が行われた出力装置である場合、ＣＰＵ１１は、切り替え先の出力装置を有効な出力先に設定する。
【００５９】
一方、ステップＳ１１６において、次に出力するコンテンツの開始時刻までにリモコン通信部１３によりリモコン２からの入力が受信されなかったと判断した場合（ステップＳ１１６；ＮＯ）、または、切替確認画面３４１においてＣａｎｃｅｌボタン３４１ｂが押下された場合（ステップＳ１１７；ＮＯ）、ＣＰＵ１１は、第１のシリアル通信部１５又は第２のシリアル通信部１７を介して切替確認画面３４１を閉じる指示を有効な出力先に送信し（ステップＳ１１９）、図９のステップＳ１２に移行する。なお、音響条件が設定されている場合、ＣＰＵ１１は、第１のシリアル通信部１５又は第２のシリアル通信部１７のうち有効な出力先に接続されている通信部により音響の変更のリクエストを送信して音響の設定を変更させる。
【００６０】
図９のステップＳ１２において、ＣＰＵ１１は、有効な出力先に次に出力するコンテンツの映像信号及び音声信号を送信し（ステップＳ１２）、ステップＳ１に戻る。
ステップＳ１２において、ＣＰＵ１１は、有効な出力先がモニタ３である場合は、第１の映像・音声出力部１６により映像・音声入力部１２から入力される映像信号及び音声信号をモニタ３に出力する。有効な出力先がプロジェクタ４である場合は、第２の映像・音声出力部１８により映像・音声入力部１２から入力される映像信号及び音声信号をプロジェクタ４に出力する。
【００６１】
ＣＰＵ１１は、制御装置１の電源がＯＮである間、ステップＳ１〜ステップＳ１２の処理を繰り返し実行する。
【００６２】
以上説明したように、制御装置１のＣＰＵ１１によれば、コンテンツの内容（例えば、番組のジャンル）に基づいて特定される出力先と有効な出力先とを比較してコンテンツの出力先の切り替えが必要であるか否かを判断し、必要であると判断した場合に、出力先の切替確認画面３４１を有効な出力先に表示させる。
したがって、視聴者に確認を促したうえでコンテンツの出力先を切り替えることができるので、何の前触れもなく出力先が切り替わってしまうことを防止することができる。
【００６３】
また、ＣＰＵ１１は、切替確認画面３４１から出力先の切り替えを視聴者が承諾する旨が入力された場合に、出力先の切り替えを実行する。したがって、視聴者の意図に沿わずに出力先が切り替わってしまうことを防止することができる。
【００６４】
例えば、ＣＰＵ１１は、番組情報から取得したコンテンツの内容と、ユーザによりキーワード設定画面から設定されたキーワード及びキーワードに該当するコンテンツの出力先とに基づいてコンテンツの出力先を特定し、特定した出力先と有効な出力先とを比較してコンテンツの出力先の切り替えが必要であるか否かを判断する。そして、出力先の切り替えが必要であると判断した場合に、出力先の切替確認画面３４１を有効な出力先に表示させる。したがって、ユーザがコンテンツの内容に応じた出力先を設定することができる。
【００６５】
また、キーワード設定画面からは、更にキーワードに該当するコンテンツの出力先を設定された出力先に切り替えるための視聴者の人数条件を設定可能であり、ＣＰＵ１１は、カメラデバイス５から取得した視聴者の人数が設定された人数条件に該当し、かつ、出力先の切り替えが必要であると判断した場合に、切替確認画面３４１を表示させる。したがって、視聴者の人数が予め設定された条件に合致したときのみ切替確認画面３４１を表示して出力先を切り替えることができる。例えば、出力先をプロジェクタ４に設定する際、併せて人数条件（例えば、ｎ人以上。ｎは正の整数。）を設定しておくことで、設定された人数以上で視聴する場合にのみ出力先をプロジェクタ４に切り替えることが可能となる。
【００６６】
また、ＣＰＵ１１は、コンテンツが出力される所定時間前に切替確認画面３４１を出力させる。したがって、視聴者は、コンテンツが出力される所定時間前に出力先が切り替えられることを確認することができる。
【００６７】
なお、上記実施形態における記述内容は、本発明に係るコンテンツ出力システムの好適な一例であり、これに限定されるものではない。
【００６８】
例えば、上記実施形態においては、制御装置１とモニタ３及びプロジェクタ４とのコマンド等の通信をシリアル通信により行うこととしたが、これに限定されず、例えば、無線通信を用いることとしてもよい。
また、上記実施形態では、コンテンツが番組である場合を例にとり説明したが、コンテンツは番組に限定されない。
【００６９】
その他、コンテンツ出力システムを構成する各装置の細部構成及び細部動作に関しても、発明の趣旨を逸脱することのない範囲で適宜変更可能である。
【００７０】
本発明のいくつかの実施形態を説明したが、本発明の範囲は、上述の実施形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
［付記］
＜請求項１＞
出力するコンテンツの内容を取得する取得手段と、
前記コンテンツの内容に基づいて出力先の切り替えが必要であるか否かを判断し、出力先の切り替えが必要であると判断した場合に、出力先の切替確認画面を表示手段に表示させる制御手段と、
を備える制御装置。
＜請求項２＞
前記切替確認画面は、前記出力先の切り替えを視聴者が承諾するか否かを入力するための画面であり、
前記制御手段は、前記出力先の切り替えを視聴者が承諾する旨が入力された場合に、前記出力先の切り替えを実行する請求項１に記載の制御装置。
＜請求項３＞
前記コンテンツは、放送局から配信される番組であり、
前記取得手段は、前記放送局から配信される番組情報に基づいて前記コンテンツの内容を取得する請求項１又は２に記載の制御装置。
＜請求項４＞
キーワードと当該キーワードに該当するコンテンツの出力先を設定する設定手段を備え、
前記制御手段は、前記番組情報から取得した前記コンテンツの内容と前記設定手段により設定されたキーワード及び出力先とに基づいて出力先の切り替えが必要であるか否かを判断し、出力先の切り替えが必要であると判断した場合に、前記切替確認画面を前記表示手段に表示させる請求項３に記載の制御装置。
＜請求項５＞
前記設定手段は、更に、前記キーワードに該当するコンテンツの出力先を前記設定された出力先に切り替えるための視聴者の人数条件を設定可能であり、
前記制御手段は、前記コンテンツの視聴者の人数を取得する人数取得手段により取得された人数が前記人数条件に該当し、かつ、出力先の切り替えが必要であると判断した場合に、前記切替確認画面を前記表示手段に表示させる請求項４に記載の制御装置。
＜請求項６＞
前記制御手段は、前記コンテンツが出力される所定時間前に前記切替確認画面を表示させる請求項１〜５のいずれか一項に記載の制御装置。
＜請求項７＞
前記出力先は、モニタ又はプロジェクタである請求項１〜６のいずれか一項に記載の制御装置。
＜請求項８＞
前記表示手段は、切り替え前のコンテンツの出力先である請求項１〜７のいずれか一項に記載の制御装置。
＜請求項９＞
出力するコンテンツの内容を取得する工程と、
前記コンテンツの内容に基づいて出力先の切り替えが必要であるか否かを判断し、出力先の切り替えが必要であると判断した場合に、出力先の切替確認画面を表示手段に表示させる工程と、
を含む制御方法。
＜請求項１０＞
コンピュータを、
出力するコンテンツの内容を取得する取得手段、
前記コンテンツの内容に基づいて出力先の切り替えが必要であるか否かを判断し、出力先の切り替えが必要であると判断した場合に、出力先の切替確認画面を表示手段に表示させる制御手段、
として機能させるためのプログラム。
【符号の説明】
【００７１】
１  制御装置
１１  ＣＰＵ
１２  映像・音声入力部
１３  リモコン通信部
１４  カメラ通信部
１５  第１のシリアル通信部
１６  第１の映像・音声出力部
１７  第２のシリアル通信部
１８  第２の映像・音声出力部
１９  記憶部
１９１  キーワードリスト
１９２  該当番組リスト
１９３  番組情報
２  リモコン
３  モニタ
３１  ＣＰＵ
３２  映像・音声入力部
３３  シリアル通信部
３４  表示部
３５  スピーカ
３６  記憶部
４  プロジェクタ
４１  ＣＰＵ
４２  映像・音声入力部
４３  シリアル通信部
４４  投影部
４５  スピーカ
４６  記憶部
５  カメラデバイス
５１  ＣＰＵ
５２  撮影部
５３  通信部
５４  記憶部
６  ＴＶ端子
【図１】
2018129739.tif 000003
【図２】
2018129739.tif 000004
【図３】
2018129739.tif 000005
【図４】
2018129739.tif 000006
【図５】
2018129739.tif 000007
【図６】
2018129739.tif 000008
【図７】
2018129739.tif 000009
【図８】
2018129739.tif 000010
【図９】
2018129739.tif 000011
【図１０】
2018129739.tif 000012
【図１１】
2018129739.tif 000013